(57)【要約】  【課題】簡易な構成や手順でありながら、鮮鋭度に関する表示装置の客観的な性能を測定することができる表示性能測定装置とその方法を提供する。  【解決手段】画像信号生成部１１において生成される画像信号に応じて、測定対象の表示装置１６には、それぞれ周期の異なる複数の周期的画像パターンが表示される。この画像パターンは、撮像部１２においてそれぞれ撮像され、該撮像された画像パターンにおける輝度の変化率の最大値が、最大輝度変化率取得部１５においてそれぞれ取得される。このように、撮像画像における輝度の変化率の最大値を求めるという簡易な処理でありながら、鮮鋭度に関する表示装置１６の性能を表す客観的な測定結果として、表示装置１６に表示させた周期的画像パターンの各周期と、実際の表示画像における輝度の変化率の最大値との関係を得ることができる。【選択図】      図１
2005214669.tif 000002
【特許請求の範囲】
【請求項１】
表示画像の鮮鋭度に関する表示装置の性能を測定する表示性能測定装置であって、
輝度の変化率の最大値がそれぞれ異なる複数の画像パターンの画像信号を生成し、測定対象の表示装置に供給する画像信号生成部と、
上記測定対象に表示される画像を撮像する撮像部と、
上記撮像部において撮像されたそれぞれの上記画像パターンにおける輝度の変化率の最大値を取得する最大輝度変化率取得部と、
を有する表示性能測定装置。
【請求項２】
上記複数の画像パターンの画像信号は、それぞれ周期が異なる複数の周期的画像パターンの画像信号である、
請求項１に記載の表示性能測定装置。
【請求項３】
上記画像信号生成部は、上記周期的画像パターンの画像信号として、上記測定対象の表示画像を構成する一連の画素に対して設定する輝度の大きさが、該一連の画素に沿って所定の周期波形状に変化する画像信号を生成する、
請求項２に記載の表示性能測定装置。
【請求項４】
上記所定の周期波は、少なくとも正弦波または三角波を含む、
請求項３に記載の表示性能測定装置。
【請求項５】
上記撮像部において撮像された画像の輝度を、上記測定対象の最大の輝度に関連する所定の基準輝度に基づいて正規化する正規化処理部を有し、
上記最大輝度変化率取得部は、上記正規化処理部で正規化された上記画像パターンの撮像画像における輝度の変化率の最大値を取得する、
請求項１に記載の表示性能測定装置。
【請求項６】
上記画像信号生成部は、上記測定対象における最大輝度の画像の画像信号を生成し、
上記正規化処理部は、上記撮像部において撮像された上記最大輝度の画像における輝度の平均に応じて上記基準輝度を取得する、
請求項５に記載の表示性能測定装置。
【請求項７】
上記複数の画像パターンの中から、上記最大輝度変化率取得部において取得される輝度の変化率の最大値が最も大きくなる画像パターンを特定し、該特定した画像パターンの周期、または該特定した画像パターンに対応して取得される上記輝度の変化率の最大値の一方もしくは両方に基づいて、鮮鋭度に関わる表示性能の評価値を取得する評価値取得部を有する、
請求項２に記載の表示性能測定装置。
【請求項８】
表示画像の鮮鋭度に関する表示装置の性能を測定する表示性能測定方法であって、
輝度の変化率の最大値がそれぞれ異なる複数の画像パターンの画像信号を測定対象の表示装置に供給し、該画像信号に応じて該測定対象に表示される画像をそれぞれ撮像する第１のステップと、
上記第１のステップにおいて撮像されたそれぞれの上記画像パターンにおける輝度の変化率の最大値を取得する第２のステップと、
を有する表示性能測定方法。
【請求項９】
上記第１のステップにおいて撮像された上記画像パターンの輝度を、上記測定対象の最大の輝度に関連する所定の基準輝度に基づいて正規化する第３のステップを有し、
上記第２のステップにおいては、上記第３のステップで正規化された上記画像パターンの撮像画像における輝度の変化率の最大値を取得する、
請求項８に記載の表示性能測定方法。
【発明の詳細な説明】
【技術分野】
【０００１】
本発明は、ＣＲＴディスプレイ装置や液晶ディスプレイ装置などの表示装置における表示性能として、特に鮮鋭度に関わる表示性能を測定するための表示性能測定装置とその方法に関するものである。
【背景技術】
【０００２】
ＣＲＴディスプレイ装置や液晶ディスプレイ装置、プラズマディスプレイ装置などの表示装置の性能を評価する際の重要な尺度の一つに、鮮鋭度がある。鮮鋭度は、画像の境界の明瞭さや画像の微細な部分の鮮明さなど、画像の鮮鋭さを表す尺度であり、表示装置の比較評価や設計評価の際には、その性能の優劣や設計の目標達成度を決める上で最も重要視されている。
【０００３】
鮮鋭度は、輝度や解像度のような物理量と異なり、人間の心理的な要素を含んだ尺度であるため、一般にその評価は、人の目による感応的な判断に委ねられることが多い。
【０００４】
また、下記の非特許文献１には、次式のような数式によって鮮鋭度を定量化する例が記載されている。
【０００５】
【数１】
2005214669.tif 000003
【０００６】
上式における各記号は、次の内容を示している。
Ｓ…主観的鮮鋭さ；
ν…空間周波数；
Ｒ（ν）…画像伝送・表示系のＭＴＦ（modulation transfer function）；
Ｅ（ν）…視覚系のＭＴＦ；
ｎ…１または２の整数；
【０００７】
【非特許文献１】社団法人 テレビジョン学会，「テレビジョン・画像情報工学ハンドブック」，第１版，株式会社 オーム社，１９９０年１１月３０日，ｐ．５８
【発明の開示】
【発明が解決しようとする課題】
【０００８】
しかしながら、従来から一般的に行われている主観的な鮮鋭度の評価では、評価者ごとに異なった結果を生じてしまうことが避けられないため、正確で信頼できる評価結果を得ることが困難であるという不利益がある。
【０００９】
また、主観的な評価方法では、鮮鋭度を絶対評価することが困難であり、相対的な比較を行わざるを得ない。そのため、比較したい表示装置を同一の場所に運んで同一な条件を整えた上で比較を行わねばならず、非常に手間がかかるという不利益がある。
【００１０】
一方、上述した式（１）に基づいて鮮鋭度を定量化する方法では、画像伝送・表示系のＭＴＦや視覚系のＭＴＦを測定する必要があるため、測定手順やその処理が複雑であるという不利益がある。
【００１１】
本発明はかかる事情に鑑みてなされたものであり、その目的は、簡易な構成や手順でありながら、表示画像の鮮鋭度に関する表示装置の客観的な性能を測定することができる表示性能測定装置とその方法を提供することにある。
【課題を解決するための手段】
【００１２】
上記の目的を達成する第１の発明の表示性能測定装置は、輝度の変化率の最大値がそれぞれ異なる複数の画像パターンの画像信号を生成して測定対象の表示装置に供給する画像信号生成部と、上記測定対象に表示される画像を撮像する撮像部と、撮像部において撮像されたそれぞれの上記画像パターンにおける輝度の変化率の最大値を取得する最大輝度変化率取得部とを有する。
【００１３】
上記第１の発明によれば、画像信号生成部において生成される画像信号に応じて、測定対象の表示装置には、輝度の変化率の最大値がそれぞれ異なる複数の画像パターンが表示される。この画像パターンは、撮像部においてそれぞれ撮像され、該撮像された画像パターンにおける輝度の変化率の最大値が、最大輝度変化率取得部においてそれぞれ取得される。
このように、撮像画像における輝度の変化率の最大値を求める簡易な処理でありながら、鮮鋭度に関する表示装置の性能を表す客観的な測定結果として、表示装置に供給した画像信号における画像の輝度変化率の最大値と、実際の表示画像における輝度の変化率の最大値との関係が得られる。
【００１４】
上記複数の画像パターンの画像信号は、それぞれ周期が異なる複数の周期的画像パターンの画像信号でも良い。
例えば、上記測定対象の表示画像を構成する一連の画素に対して設定する輝度の大きさが、該一連の画素に沿って所定の周期波形状に変化する画像信号を、上記周期的画像パターンの画像信号として画像信号生成部に生成させても良い。この場合、上記所定の周期波には、例えば正弦波や三角波が含まれていても良い。
【００１５】
上記第１の発明は、好ましくは、上記撮像部において撮像された画像の輝度を、上記測定対象の最大の輝度に関連する所定の基準輝度に基づいて正規化する正規化処理部を有し、上記最大輝度変化率取得部は、上記正規化処理部で正規化された上記画像パターンの撮像画像における輝度の変化率の最大値を取得する。
これにより、最大輝度が異なる表示装置の間でも、鮮鋭度に関する表示性能を客観的に比較することを可能にする測定結果が得られる。
【００１６】
この場合、画像信号生成部は、上記測定対象の表示装置における最大輝度の画像の画像信号を生成しても良く、正規化処理部は、撮像部において撮像された上記最大輝度の画像における輝度の平均に応じて上記基準輝度を取得しても良い。
これにより、測定対象ごとにその最大輝度に応じた適切な基準輝度が得られるため、測定の精度が向上する。
【００１７】
また、上記第１の発明は、上記複数の画像パターンの中から、最大輝度変化率取得部において取得される輝度の変化率の最大値が最も大きくなる画像パターンを特定し、該特定した画像パターンの周期、または該特定した画像パターンに対応して取得される上記輝度の変化率の最大値の一方もしくは両方に基づいて、鮮鋭度に関わる表示性能の評価値を取得する評価値取得部を有しても良い。
これにより、測定対象の表示装置の鮮鋭度に関わる性能が定量的に評価される。
【００１８】
上記の目的を達成する第２の発明の表示性能測定方法は、輝度の変化率の最大値がそれぞれ異なる複数の画像パターンの画像信号を測定対象の表示装置に供給し、該画像信号に応じて該測定対象に表示される画像をそれぞれ撮像する第１のステップと、上記第１のステップにおいて撮像されたそれぞれの上記画像パターンにおける輝度の変化率の最大値を取得する第２のステップとを有する。
【００１９】
上記第２の発明によれば、第１のステップにおいて、輝度の変化率の最大値がそれぞれ異なる複数の画像パターンの画像信号が測定対象の表示装置に供給される。そして、該画像信号に応じて該測定対象に表示される画像がそれぞれ撮像される。第２のステップでは、第１のステップにおいて撮像されたそれぞれの上記画像パターンにおける輝度の変化率の最大値が取得される。
そのため、撮像画像における輝度の変化率の最大値を求める簡易な処理でありながら、鮮鋭度に関する表示装置の性能を表す客観的な測定結果として、表示装置に供給した画像信号における画像の輝度変化率の最大値と、実際の表示画像における輝度の変化率の最大値との関係が得られる。
【００２０】
なお、上記第１のステップにおいて供給する上記複数の画像パターンの画像信号は、それぞれ周期が異なる複数の周期的画像パターンの画像信号でも良い。
例えば、上記第１のステップにおいて、上記周期的画像パターンの画像信号として、上記測定対象の表示画像を構成する一連の画素に対して設定する輝度の大きさが、該一連の画素に沿って所定の周期波形状に変化する画像信号を生成させても良い。この場合、上記所定の周期波には、少なくとも正弦波または三角波が含まれていても良い。
【００２１】
上記第２の発明は、好ましくは、第１のステップにおいて撮像された上記画像パターンの輝度を、上記測定対象の表示装置における最大の輝度に関連する所定の基準輝度に基づいて正規化する第３のステップを有し、第２のステップにおいては、第３のステップで正規化された上記画像パターンの撮像画像における輝度の変化率の最大値を取得する。
これにより、最大輝度が異なる表示装置の間でも、鮮鋭度に関する表示性能を客観的に比較することを可能にする測定結果が得られる。
【発明の効果】
【００２２】
本発明によれば、簡易な構成や手順でありながら、表示画像の鮮鋭度に関する表示装置の客観的な性能を測定することができる。
【発明を実施するための最良の形態】
【００２３】
以下、本発明の２つの実施形態について、図面を参照して説明する。
【００２４】
＜第１の実施形態＞
図１は、本発明の第１の実施形態に係る表示性能測定装置１０の構成の一例を示す図である。
【００２５】
図１に例示する表示性能測定装置１０は、画像信号生成部１１と、撮像部１２と、データ記憶部１３と、正規化処理部１４と、最大輝度変化率取得部１５とを有する。
上記構成において、画像信号生成部１１は、本発明の画像信号生成部の一実施形態である。
撮像部１２は、本発明の撮像部の一実施形態である。
正規化処理部１４は、本発明の正規化処理部の一実施形態である。
最大輝度変化率取得部１５は、本発明の最大輝度変化率取得部の一実施形態である。
【００２６】
画像信号生成部１１は、測定に用いる所定の画像の画像信号を生成して、測定対象の表示装置１６に供給する。
すなわち、後述する基準輝度を求めるための測定用画像として、まず、表示装置１６における最大輝度の画像（すなわち全体が白の画像）の画像信号を生成する。
そして次に、それぞれ周期が異なる複数の周期的画像パターンの画像信号を生成して、表示装置１６に供給する。この周期的画像パターンは、例えば、画像上の輝度が正弦波等の周期波形状に変化するような画像パターンである。
【００２７】
ただし、ここで述べている周期的画像パターンは、画像信号生成部１１の画像信号が表示装置１６に対して設定する仮想的な画像パターンであり、表示装置１６に実際に表示される画像は、表示装置１６の鮮鋭度等の表示性能に応じてこれとは異なった画像になる。
すなわち、画像信号生成部１１は、表示装置１６の表示画像を構成する一連の画素に対して設定する輝度の大きさが、この一連の画素に沿って正弦波等の周期波形状に変化するような画像信号を生成する。この画像信号に対応する実際の表示画像は、鮮鋭度等の表示性能に応じて、設定とは異なった画像になる。
【００２８】
なお、上述した最大輝度の画像や複数の周期的画像パターンは、表示装置１６の任意の表示領域に表示させても良いが、好ましくは、これらの画像を同一の表示領域に切り替えながら表示させる。すなわち、画像信号生成部１１は、上述した最大輝度の画像や複数の周期的画像パターンを、順次に切り替えながら表示装置１６の同一の表示領域に表示させる。これにより、表示装置１６の特定の表示領域について、鮮鋭度に関わる表示性能を精度よく測定することが可能になる。
【００２９】
撮像部１２は、例えばＣＣＤカメラやＣＭＯＳカメラ等の撮像素子を用いて表示装置１６の表示画像を撮像し、その撮像結果をデジタルの撮像画像データとして出力する。
【００３０】
データ記憶部１３は、撮像部１２より出力される撮像画像データを記憶する。
【００３１】
正規化処理部１４は、データ記憶部１３に記憶される撮像画像データの輝度の正規化処理を行う。
すなわち、基準輝度を求める処理として、まず、データ記憶部１３に記憶される上述した最大輝度画像の撮像画像データを読み出して、撮像画像の輝度の平均を算出し、これを基準輝度Ｒとして取得する。
次に、データ記憶部１３に記憶される周期的画像パターンの撮像画像データを読み出して、その撮像画像の各画素の輝度Ｂを例えば次式により正規化する。
【００３２】
［数２］
Ｂｎ  ＝  １００×Ｂ／Ｒ  …（２）
【００３３】
式（２）に示す正規化後の輝度Ｂｎは、基準輝度Ｒと等しい場合に‘１００’となり、殆どの画素において‘０’〜‘１００’の値となる。
【００３４】
最大輝度変化率取得部１５は、正規化処理部１４で正規化された周期的画像パターンの撮像画像における輝度の変化率の最大値を取得する。
輝度の変化率とは、例えば、隣接ずる画素間における輝度の差を示す。すなわち、画素Ｐａの輝度Ｂａとこれに隣接する画素Ｐｂの輝度Ｂｂが与えられた場合、この画素間における輝度の変化率Ｘは例えば次式で与えられる。
【００３５】
［数３］
Ｘ  ＝  ｜Ｂｂ−Ｂａ｜  …（３）
【００３６】
最大輝度変化率取得部１５は、このような輝度の変化率の最大値を、周期が異なる複数の周期的画像パターンの撮像画像についてそれぞれ取得する。
【００３７】
次に、上述した表示性能測定装置１０の概略動作について、図２に示すフローチャートを参照して説明する。
【００３８】
まず、画像信号生成部１１は、表示装置１６における最大輝度の画像の画像信号を生成して、表示装置１６の測定を行う表示領域にこの画像を表示させる（ステップＳＴ１）。
【００３９】
図３（Ａ）は、表示装置１６に表示される最大輝度の画像の例を示す。
また、図３（Ｄ）は、図３（Ａ）の線Ｓ−Ｓ’における輝度の設定値の例を示す。ただし、図３（Ｄ）の縦軸は輝度を示し、横軸は線Ｓ−Ｓ’に沿った表示画面上の位置を示す。
図３（Ｄ）に示すように、輝度の設定値を最大にした場合の画像は、一般に図３（Ａ）に示すように全体が白色の画像になる。
【００４０】
撮像部１２は、表示装置１６に表示される上記の最大輝度の画像を撮像し、その撮像画像データをデータ記憶部１３に書き込む（ステップＳＴ２）。正規化処理部１３は、データ記憶部１３の該撮像画像データを読み出して、撮像画像の平均輝度を算出し、これを正規化処理用の基準輝度Ｒとして取得する（ステップＳＴ３）。
【００４１】
基準輝度Ｒが得られると、次に画像信号生成部１１は、所定の周期を有する周期的画像パターンの画像信号を生成して、表示装置１６の測定を行う表示領域にこの画像を表示させる（ステップＳＴ４）。
【００４２】
図３（Ｂ），（Ｃ）は、表示装置１６に表示される周期的画像パターンの例を示す。
また、図３（Ｅ），（Ｆ）は、それぞれ図３（Ｂ），（Ｃ）の線Ｓ−Ｓ’における輝度の設定値の例を示す。縦軸と横軸の意味については、図３（Ｄ）と同じである。
図から分かるように、図３（Ｃ），（Ｆ）の画像パターンは、図３（Ｂ），（Ｅ）の画像パターンより周期が短い（すなわち周波数が高い）。
【００４３】
また、図３（Ｅ），（Ｆ）の例によると、水平方向に連なる一連の画素に対する輝度の設定値は、該一連の画素にそって正弦波状に変化している。このような輝度の変化パターンが画像信号生成部１１によって表示装置１６に設定されると、その表示画像には、図３（Ｂ），（Ｃ）に示すような縦縞の画像パターンが現れる。
【００４４】
撮像部１２は、表示装置１６に表示されるこのような周期的画像パターンを撮像し、その撮像画像データをデータ記憶部１３に書き込む（ステップＳＴ５）。平均化処理部１４は、データ記憶部１３の該撮像画像データを読み出し、ステップＳＴ３で取得した基準輝度を用いて、撮像画像の正規化処理を行う（ステップＳＴ６）。例えば式（２）で示すような正規化処理を行った場合、各画素の輝度は、概ね‘０’から‘１００’までの数値範囲に含まれる値となる。
【００４５】
最大輝度変化率取得部１５は、この正規化した周期的画像パターンの撮像画像における輝度の変化率を求め、その最大値を取得する（ステップＳＴ７）。
【００４６】
図４は、正規化処理した周期的画像パターンの撮像画像における、図３の線Ｓ−Ｓ’に対応する部分の輝度変化の一例を図解した図である。
この図のような輝度変化を示す撮像画像において、最大輝度変化率取得部１５は、隣り合う画素間の輝度の変化率Ｘを例えば式（３）に基づいてそれぞれ算出する。そして、測定を行う表示領域における変化率Ｘの最大値を求める。
【００４７】
上述したステップＳＴ４〜ステップＳＴ７の処理は、それぞれ周期（周波数）が異なる複数の周期的画像パターンのそれぞれについて反復実行される（ステップＳＴ８，ＳＴ９）。
以上により、周期的画像パターンの周波数と輝度の変化率の最大値との関係を表すデータが、表示装置１６の鮮鋭度性能の測定結果として得られる。
【００４８】
図５は、正弦波の画像パターンを用いた場合における、輝度の変化率の最大値と該正弦波の周波数との関係を図解した図である。
【００４９】
正弦波信号ｙ（ｘ）とその導関数ｙ’（ｘ）は、信号振幅を‘Ａ’、周波数を‘ｆ’とすると、次式のように表される。
【００５０】
ｙ＝Ａ ｓｉｎ（２πｆｘ）  …  （３）；
ｙ’＝２πＡｆ ｃｏｓ（２πｆｘ）  …  （４）；
【００５１】
式（４）から分かるように、正弦波信号の変化率の最大値‘２πＡｆ’は、周波数ｆに比例して大きくなる。そのため、実際の表示画像における輝度の変化率の最大値も、図５に示すように、周波数が高くなるほど大きくなる。
しかしながら、表示装置１６の鮮鋭度性能の限界によって、表示装置１６の出力の映像が入力の画像信号に追従できなくなると、輝度の変化率の最大値は、ある周波数Ｆｐをピークとして、それ以降小さくなるように変化する。
【００５２】
したがって、輝度の変化率の最大値と画像パターンの周波数との関係を表す図５に示すような測定結果から、表示装置１６の鮮鋭度性能を客観的に把握することが可能になる。すなわち、輝度の変化率の最大値がピークに達する周波数が高いほど、また、そのピーク値が大きいほど、表示装置１６の鮮鋭度性能が高いことが分かる。
【００５３】
以上説明したように、本実施形態に係る表示性能測定装置１０によれば、画像信号生成部１１において生成される画像信号に応じて、測定対象の表示装置１６には、それぞれ周期の異なる複数の周期的画像パターンが表示される。この画像パターンは、撮像部１２においてそれぞれ撮像され、該撮像された画像パターンにおける輝度の変化率の最大値が、最大輝度変化率取得部１５においてそれぞれ取得される。
このように、撮像画像における輝度の変化率の最大値を求めるという簡易な処理でありながら、鮮鋭度に関する表示装置１６の性能を表す客観的な測定結果として、表示装置１６に表示させた周期的な画像パターンの各周期（周波数）と、実際の表示画像における輝度の変化率の最大値との関係を得ることができる。そのため、表示装置の重要な評価尺度である鮮鋭度の性能を客観的に把握することが可能となり、従来の主観に基づいた方法における測定の不確かさを無くすことができるとともに、表示装置の画質の比較評価や表示装置の設計達成度の確認を人手に依らず効率的に行うことが可能になる。また、ＭＴＦの測定を必要とする従来の方法に比べて、測定に要する手順や処理内容を簡易化することができる。
【００５４】
更に、表示性能測定装置１０によれば、撮像部１２において撮像された画像の輝度が、正規化部１４によって、測定対象の表示装置１６における最大の輝度に関連する基準輝度に基づいて正規化される。そして、この正規化された撮像画像における輝度の変化率の最大値が、上記最大輝度変化率取得部１５によって取得される。
そのため、最大輝度が異なる表示装置（例えば異なる機種の表示装置）の間でも、鮮鋭度に関する表示性能を客観的に比較することが可能になる。
【００５５】
しかも、表示性能測定装置１０によれば、測定対象の表示装置ごとに適切な基準輝度が取得され、撮像画像の正規化処理に用いられる。すなわち、測定の始めに、画像信号生成部１１において、表示装置１６における最大輝度の画像の画像信号が生成され、表示装置１６に供給される。正規化処理部１４では、表示装置１６に表示される該最大輝度画像の撮像画像における輝度の平均に応じて、上記の基準輝度が取得される。
このように、測定対象ごとにその最大輝度に応じた適切な基準輝度が取得され、これに基づいて撮像画像の正規化処理が行われるため、測定の精度を向上することができる。
【００５６】
＜第２の実施形態＞
次に、本発明の第２の実施形態について述べる。
第２の実施形態は、鮮鋭度に関わる表示性能の定量的な評価手段を設けたものである。
【００５７】
図６は、本発明の第２の実施形態に係る表示性能測定装置１０Ａの構成の一例を示す図である。
図６に例示する表示性能測定装置１０Ａは、既に述べた表示性能測定装置１０と同様な構成（画像信号生成部１１、撮像部１２、データ記憶部１３、正規化処理部１４、最大輝度変化率取得部１５）を有するとともに、更に、評価値取得部の一実施形態である評価値取得部１７を有する。
【００５８】
図７は、図６に示す表示性能測定装置１０Ａの動作を説明するためのフローチャートである。
図２に示すフローチャートとの違いは、画像パターンの周期と輝度変化率の最大値との関係を表す図５に示すような測定結果が得られた後、この測定結果に基づいて、鮮鋭度に関わる表示性能の評価値を取得する評価値取得部１７の処理（ステップＳＴ１０）が加わっている点にある。
【００５９】
評価値取得部１７は、最大輝度変化率取得部１５において取得される輝度の変化率の最大値が最も大きくなる画像パターンを特定し、該特定した画像パターンの周期（例えば図５における周波数Ｆｐ）、または該特定した画像パターンに対応して取得される輝度の変化率の最大値（例えば図５における変化率Ｓｐ）の一方もしくは両方に基づいて、鮮鋭度に関わる表示性能の評価値を取得する。
【００６０】
例えば、評価値取得部１７は、図５の例に示すような測定結果から、そのピークにおける周波数Ｆｐと変化率Ｓｐを求め、これらのうちの一方の値を、鮮鋭度性能の評価値として取得する。
【００６１】
あるいは、評価値取得部１７は、周波数Ｆｐと変化率Ｓｐとを変数として含む所定の鮮鋭度性能の評価関数に基づいて、鮮鋭度性能の評価値を算出しても良い。
または、周波数Ｆｐと変化率Ｓｐとがそれぞれ所定の範囲に含まれているときの鮮鋭度性能の評価値が記憶されたデータテーブルを予め用意しておき、このデータテーブルを参照することによって、測定対象ごとに評価値を取得しても良い。
【００６２】
すなわち、評価値取得部１７は、少なくとも周波数Ｆｐおよび／または変化率Ｓｐに基づいて、鮮鋭度性能の評価値を取得する処理を行う。その評価値は、具体的な数値でも良いし、あるいは、鮮鋭度性能を示すランクでも良い。
【００６３】
以上説明したように、本実施形態に係る表示性能測定装置１０Ａによれば、最大輝度変化率取得部１５において取得される輝度の変化率の最大値が最も大きくなる周期的画像パターンの周期、または該周期的画像パターンに対応して取得される輝度の変化率の最大値の一方もしくは両方に基づいて、鮮鋭度に関わる表示性能の評価値が取得される。
そのため、鮮鋭度性能を定量的に評価することが可能になり、表示装置の画質の比較評価や表示装置の設計達成度をより明確に把握することが可能になる。また、鮮鋭度性能を自動的に効率良く評価することが可能になるため、例えば出荷検査などにおいて大量の表示装置を扱うことも可能になる。
【００６４】
なお、上述した実施形態は、本発明の好適な具体例であり、技術的に好ましい種々の限定が付されているが、本発明はこの形態に限られるものではなく、例えば以下に述べるような種々のバリエーションを有する。
【００６５】
上述の実施形態では、測定用の画像を順次に切り替えて表示装置１６に表示させる例が示されているが、これに限らず、例えばこれらの画像を表示装置１６の異なる表示領域に同時に表示させて測定を行っても良い。この場合、鮮鋭度に関わる表示性能の測定精度は若干落ちるが、測定手順を簡易化することが可能になる。
【００６６】
また、上述した実施形態では、最大輝度の画像の撮像画像データに基づいて基準輝度を算出し、これを使って正規化処理を行っているが、本発明はこれに限定されない。例えば、測定対象の表示装置における最大輝度のバラツキが比較的小さい場合には、予め定めた基準輝度のデータを使って正規化処理を行っても良い。これにより、図２や図７のフローチャートにおけるステップＳＴ１，ＳＴ２を省略できるため、測定手順をより簡易化することが可能になる。更に、比較対象の表示装置が同一機種の場合など、最大輝度が概ね等しくなる場合には、正規化処理の省略も可能である。
【００６７】
また、上述した実施形態では、測定用の画像パターンとして正弦波状の画像パターンを用いる例が示されているが、これに限らず、例えば三角波などの種々の周期波状の画像パターンを用いても良い。
更に、本発明では、測定に用いる画像パターンを周期的画像パターンに限定していない。すなわち、少なくとも輝度の変化率の最大値が異なる複数の画像パターンであれば、測定用画像パターンとして使用可能である。
【００６８】
また、本発明において測定対象とする表示装置は、ＣＲＴディスプレイ装置や液晶ディスプレイ装置のような映像表示装置に限られておらず、例えば、紙等に画像を印刷するプリンタ装置なども含まれる。この場合、印刷結果の画像を撮像装置１２において撮像して同様に処理することにより、プリンタ装置の鮮鋭度に関わる表示性能（すなわち印刷性能）を測定することが可能である。
【図面の簡単な説明】
【００６９】
【図１】本発明の第１の実施形態に係る表示性能測定装置の構成の一例を示す図である。
【図２】図１に示す表示性能測定装置の動作を説明するためのフローチャートである。
【図３】表示装置に表示される測定用の画像とその輝度の設定値を図解した図である。
【図４】撮像した画像における輝度の変化の一例を図解した図である。
【図５】輝度の変化率の最大値と周期的画像パターンの周波数との関係を図解した図である。
【図６】本発明の第２の実施形態に係る表示性能測定装置の構成の一例を示す図である。
【図７】図６に示す表示性能測定装置の動作を説明するためのフローチャートである。
【符号の説明】
【００７０】
１０，１０Ａ…表示性能測定装置、１１…画像信号生成部、１２…撮像部、１３…データ記憶部、１４…正規化処理部、１５…最大輝度変化率取得部、１６…表示装置、１７…評価値取得部
【図１】
2005214669.tif 000004
【図２】
2005214669.tif 000005
【図３】
2005214669.tif 000006
【図４】
2005214669.tif 000007
【図５】
2005214669.tif 000008
【図６】
2005214669.tif 000009
【図７】
2005214669.tif 000010